(57)【要約】【課題】本発明は、音響処理の効果をユーザに手軽に体験させることを目的とする。【解決手段】テスト音響信号作成装置１０１は、ユーザの使用する車両１５０に搭載された音響再生装置２１での再生時に音響改善を行うための音響処理が施されていない未処理音響信号を取得する取得部１１と、未処理音響信号の少なくとも一部の時間領域に音響処理を施して、音響再生装置２１に提供される音響性能テスト用のテスト音響信号を作成する音響処理部１２と、を備える。テスト音響信号作成装置１０１は、車両１５０に搭載されない。【選択図】図１
2018157478.tif 000002
【特許請求の範囲】
【請求項１】
ユーザの使用車両に搭載された音響再生装置での再生時に音響改善を行うための音響処理が施されていない未処理音響信号を取得する取得部と、
前記未処理音響信号の少なくとも一部の時間領域に前記音響処理を施して、前記音響再生装置に提供される音響性能テスト用のテスト音響信号を作成する音響処理部と、を備え、
前記ユーザの使用車両に搭載されない、
テスト音響信号作成装置。
【請求項２】
前記音響処理は音場補正処理である、
請求項１に記載のテスト音響信号作成装置。
【請求項３】
前記テスト音響信号は、
前記未処理音響信号に前記音響処理が施された音響信号である第１時間領域と、
前記未処理音響信号である第２時間領域と、を有する、
請求項１又は２に記載のテスト音響信号作成装置。
【請求項４】
前記第１時間領域と前記第２時間領域は、時間軸において交互に繰り返し存在する、
請求項３に記載のテスト音響信号作成装置。
【請求項５】
前記音響処理部は、前記未処理音響信号の一部の時間領域にのみ前記音響処理を施すことにより、前記テスト音響信号を作成する、
請求項３又は４に記載のテスト音響信号作成装置。
【請求項６】
前記音響処理部は、前記未処理音響信号に定常的に前記音響処理を施して定常処理音響信号を作成し、前記定常処理音響信号と前記未処理音響信号を交互に選択して出力することにより前記テスト音響信号を作成する、
請求項３又は４に記載のテスト音響信号作成装置。
【請求項７】
前記音響処理部は、前記未処理音響信号に定常的に前記音響処理を施して前記テスト音響信号を作成し、
前記未処理音響信号と前記テスト音響信号は、前記音響再生装置において前記テスト音響信号と前記未処理音響信号を切り替えて再生することが可能な態様で、前記音響再生装置に提供される、
請求項１及び２に記載のテスト音響信号作成装置。
【請求項８】
前記未処理音響信号と前記テスト音響信号は、別チャンネルとして、又は同一チャンネルの多重信号として放送される、
請求項７に記載のテスト音響信号作成装置。
【請求項９】
前記未処理音響信号と前記テスト音響信号は、別トラックとして、又は同一トラックの多重信号として、記録媒体に記録される、
請求項７に記載のテスト音響信号作成装置。
【請求項１０】
音響処理が施されていない未処理音響信号を取得し、
ユーザの使用車両に搭載されない装置により、前記未処理音響信号の少なくとも一部の時間領域に前記音響処理を施して、ユーザの使用車両に搭載された音響再生装置に提供される音響性能テスト用のテスト音響信号を作成する、
テスト音響信号作成方法。
【請求項１１】
請求項１０に記載のテスト音響信号作成方法により作成された前記テスト音響信号が記録される、
記録媒体。
【請求項１２】
コンピュータを、
音響処理が施されていない未処理音響信号を取得する取得部と、
前記未処理音響信号の少なくとも一部の時間領域に前記音響処理を施して、ユーザの使用車両に搭載された音響再生装置に提供される音響性能テスト用のテスト音響信号を作成する音響処理部と、して機能させるための、
テスト音響信号作成プログラム。
【発明の詳細な説明】
【技術分野】
【０００１】
この発明は、車載オーディオ装置で音響処理の効果を体験する技術に関する。
【背景技術】
【０００２】
車載オーディオ装置における音再生の問題点の一つは、左右非対象な場所で音楽を聴くため左右のスピーカからの伝達特性が大きく異なることである。この問題の解決策として、特許文献１には、車載オーディオ装置に信号処理装置を組み込み、最適な音場空間を再現することが提案されている。この信号処理装置は、目標とする音場特性と現実の音場特性の差を最小化するように設定されたフィルタ係数を用いて通常の音源を処理し、車室の各スピーカから再生する。フィルタ係数の設定方法としては、既定値を予め設定する方法や、マイクロフォンを用いてリアルタイムまたは初期設定の際に計測した結果に応じて可変に設定する方法が知られている。しかし、これらの方法には、種々の車体への対応が困難であること、計測する機能を実現するために多くの処理装置を必要とし製品が高価になること、などの課題がある。こうした課題に対して特許文献１では、予め計測したフィルタ係数をサーバに保存しておき、利用者の車体に応じたデータを当該サーバからダウンロードすることで、個々の車両に合せた最適設定を可能にすることを提案している。
【先行技術文献】
【特許文献】
【０００３】
【特許文献１】特開平１０−３０７５９２号公報
【発明の概要】
【発明が解決しようとする課題】
【０００４】
しかしながら、特許文献１の構成では、音源を加工し車両に合わせた音場を実現するための信号処理装置が個々の車両に搭載されたオーディオ装置に組み込まれているため、ユーザが音場補正効果を体験するには、音場補正機能を搭載したオーディオ装置を車両に搭載するか、搭載済みの車両を提供している店舗または展示会などに赴く必要がある。前者の場合はユーザが購入前に自分の車両でオーディオ装置を体験することができないという問題があり、後者の場合はユーザ自身の使用車両で音場補正効果を体験できないという問題がある。
【０００５】
本発明は上述の問題に鑑み、音場補正処理に代表される音響処理の効果をユーザに手軽に体験させることを目的とする。
【課題を解決するための手段】
【０００６】
本発明に係るテスト音響信号作成装置は、音響再生装置での再生時に音響改善を行うための音響処理が施されていない未処理音響信号を取得する取得部と、未処理音響信号の少なくとも一部の時間領域に音響処理を施して、ユーザの使用車両に搭載された音響再生装置に提供される音響性能テスト用のテスト音響信号を作成する音響処理部と、を備え、ユーザの使用車両に搭載されない。
【０００７】
本発明に係るテスト音響信号作成方法は、音響再生装置での再生時に音響改善を行うための音響処理が施されていない未処理音響信号を取得し、ユーザの使用車両に搭載されない装置により、未処理音響信号の少なくとも一部の時間領域に音響処理を施して、ユーザの使用車両に搭載された音響再生装置に提供される音響性能テスト用のテスト音響信号を作成する。
【０００８】
本発明に係る記録媒体は、本発明に係るテスト音響信号作成方法により作成されたテスト音響信号を記録する。
【０００９】
本発明に係るテスト音響信号作成プログラムは、コンピュータを、音響処理が施されていない未処理音響信号を取得する取得部と、未処理音響信号の少なくとも一部の時間領域に音響処理を施して、ユーザの使用車両に搭載された音響再生装置に提供される音響性能テスト用のテスト音響信号を作成する音響処理部と、して機能させる。
【発明の効果】
【００１０】
本発明に係るテスト音響信号作成装置は、未処理音響信号の少なくとも一部の時間領域に音響処理を施して、ユーザの使用車両に搭載された音響再生装置に提供される音響性能テスト用のテスト音響信号を作成する音響処理部と、を備え、ユーザの使用車両に搭載されない。従って、テスト音響信号作成装置により音響処理を施したテスト音響信号を、音響再生装置で再生することにより、ユーザは音響再生装置で行うことのできない音響処理の効果を体験することができる。
【００１１】
本発明に係るテスト音響信号作成方法は、ユーザの使用車両に搭載されない装置により、未処理音響信号の少なくとも一部の時間領域に音響処理を施して、ユーザの使用車両に搭載された音響再生装置に提供される音響性能テスト用のテスト音響信号を作成する。従って、テスト音響信号作成装置により音響処理を施したテスト音響信号を、音響再生装置で再生することにより、ユーザは音響再生装置で行うことのできない音響処理の効果を体験することができる。
【００１２】
本発明に係る記録媒体は、本発明に係るテスト音響信号作成方法により作成されたテスト音響信号を記録する。この記録媒体をユーザの使用車両に搭載された音響再生装置で再生することにより、ユーザは音響再生装置で行うことのできない音響処理の効果を体験することができる。
【００１３】
本発明に係るテスト音響信号作成プログラムは、コンピュータを、音響処理が施されていない未処理音響信号を取得する取得部と、未処理音響信号の少なくとも一部の時間領域に音響処理を施して、ユーザの使用車両に搭載された音響再生装置に提供される音響性能テスト用のテスト音響信号を作成する音響処理部と、して機能させる。本発明に係るテスト音響信号作成プログラムにより作成されたテスト音響信号をユーザの使用車両に搭載された音響再生装置で再生することにより、ユーザは音響再生装置で行うことのできない音響処理の効果を体験することができる。
【図面の簡単な説明】
【００１４】
【図１】実施の形態１に係る音響体験システムの構成図である。
【図２】実施の形態１に係るテスト音響信号作成装置と提供装置の動作を示すフローチャートである。
【図３】実施の形態２に係る音響体験システムの構成図である。
【図４】家庭用音響再生装置で音を再生する際のスピーカとリスニングポイントの関係を示す図である。
【図５】車載の音響再生装置で音を再生する際のスピーカとリスニングポイントの関係を示す図である。
【図６】車載の音響再生装置で音を再生する際に各スピーカから出力された音がリスニングポイントに届く時間のずれを示す図である。
【図７】音場補正機能を備えた音響再生装置を示す図である。
【図８】音場補正機能を備えた音響再生装置による音場補正処理を説明する図である。
【図９】実施の形態２に係る音響処理部の構成図である。
【図１０】実施の形態２に係るテスト音響信号作成装置による音場補正処理を説明する図である。
【図１１】実施の形態２に係る音響処理部における遅延回路の動作を説明する図である。
【図１２】実施の形態３に係る音響体験システムの構成図である。
【図１３】実施の形態３に係る音響処理部の構成図である。
【図１４】実施の形態３に係る音響処理部における遅延回路の動作を説明する図である。
【図１５】実施の形態３に係る音響処理部における切替スイッチの動作を説明する図である。
【図１６】実施の形態４に係る音響体験システムの構成図である。
【図１７】実施の形態４に係る音響体験システムにおける音響処理部と提供装置の構成図である。
【図１８】実施の形態４の変形例に係る音響体験システムにおける音響処理部と提供装置の構成図である。
【図１９】本発明のテスト音響信号作成装置のハードウェア構成図である。
【図２０】本発明のテスト音響信号作成装置のハードウェア構成図である。
【図２１】実施の形態２に係るテスト音響信号作成装置の携帯端末とサーバによる構成例を示す図である。
【発明を実施するための形態】
【００１５】
本明細書で説明に用いる各図面において、同一の構成要素には同一の参照符号を付す。
【００１６】
＜Ａ．実施の形態１＞
＜Ａ−１．構成＞
図１は、実施の形態１に係る音響体験システム１の構成図である。音響体験システム１は、車両１５０に搭載された音響再生装置２１により車両１５０の搭乗者に音響処理の効果を体験させるためのシステムである。この音響処理は、音響再生装置２１での再生時に音響改善を行うための処理であり、音響再生装置２１では行うことができないものである。
【００１７】
本実施の形態では、車載音響再生装置の販売者が、特定の音響処理機能を有する車載の音響再生装置を車両１５０の搭乗者に販売しようとする場面を想定する。車両１５０には音響再生装置２１が搭載されているが、この音響再生装置２１は当該音響処理機能を有さないものとする。車両１５０の搭乗者を車載音響再生装置の購入検討者とする。販売者は、音響処理を施したテスト音響信号をテスト音響信号作成装置１０１で作成し、提供装置２０により音響再生装置２１に提供する。音響再生装置２１がスピーカ２２でテスト音響信号を再生することにより、車両１５０の搭乗者は音響処理の効果を体験することができる。本明細書では、以下、車両１５０の搭乗者を「ユーザ」と称する。
【００１８】
以下、図１を参照して音響体験システム１の構成を説明する。音響体験システム１は、テスト音響信号作成装置１０１、提供装置２０、音響再生装置２１、およびスピーカ２２を備えている。音響再生装置２１とスピーカ２２は車両１５０に搭載されている。車両１５０は、ユーザが所有または使用する車両である。
【００１９】
テスト音響信号作成装置１０１は、車両１５０の外部に設けられたサーバ等により構成される装置であり、音響再生装置２１で再生するための音響性能テスト用のテスト音響信号を作成する。テスト音響信号作成装置１０１は、取得部１１と音響処理部１２を備えている。
【００２０】
取得部１１は、音源提供者から未処理音響信号を取得し、音響処理部１２に出力する。音源提供者は、例えば販売者またはユーザである。
【００２１】
音響処理部１２は、未処理音響信号に音響処理を施してテスト音響信号を作成する。
【００２２】
提供装置２０は、テスト音響信号を音響再生装置２１に提供する。提供装置２０が音響再生装置２１へテスト音響信号を提供する方法として、放送、記録媒体、または通信ネットワーク等が想定される。提供装置２０がコンパクトディスク、ＳＤカード、またはＵＳＢメモリ等の記録媒体によってテスト音響信号を提供する場合、提供装置２０はテスト音響信号を記録媒体に記録する機能を有する。この記録媒体が音響再生装置２１に接続されることにより、音響再生装置２１でテスト音響信号の再生が可能となる。提供装置２０が通信ネットワークによりテスト音響信号を提供する場合、提供装置２０と音響再生装置２１との間が通信ネットワークで接続されていてもいなくても良い。提供装置２０と音響再生装置２１との間が通信ネットワークで接続されていない場合、例えば提供装置２０とパソコンまたはスマートフォンなどユーザの手持ちの通信端末との間が通信ネットワークで接続されていれば良い。この場合、提供装置２０は通信ネットワークを介してユーザの手持ちの通信端末にテスト音響信号を送信し、通信端末で受信したテスト音響信号は記録媒体、無線通信、有線通信などにより通信端末から音響再生装置２１に入力されればよい。
【００２３】
音響再生装置２１は、通常のオーディオ再生機能を有する装置であり、提供装置２０からテスト音響信号を取得し、これをスピーカから再生する。
【００２４】
スピーカ２２は、例えば車両１５０の前方右側、前方左側、後方右側、および後方左側の４カ所に設置されている。
【００２５】
＜Ａ−２．動作＞
テスト音響信号作成装置１０１の動作を図２のフローチャートに沿って説明する。
【００２６】
まず、取得部１１は、未処理音響信号を取得する（ステップＳ１１）。ここで取得部１１は、例えば販売者または購入希望者から未処理音響信号を取得するが、その取得経路として通信端末から通信ネットワークを介して取得しても良いし、ＳＤまたはコンパクトディスクなどの記録媒体によって取得しても良い。ステップＳ１１は、例えば販売者が希望する任意のタイミングで、または購入希望者の入力操作を受けて実施される。
【００２７】
次に、音響処理部１２は、未処理音響信号に音響処理を施してテスト音響信号を作成する（ステップＳ１２）。ここで、音響処理は未処理音響信号に定常的に施される場合と、一部の時間領域に施される場合とが想定される。音響処理は、少なくとも一部の時間領域に施されればよい。
【００２８】
最後に、提供装置２０がテスト音響信号作成装置１０１から音響再生装置２１へテスト音響信号を提供する（ステップＳ１３）。
【００２９】
以上に説明したように、実施の形態１に係るテスト音響信号作成装置１０１は、ユーザの使用車両に搭載されず、取得部１１と音響処理部１２とを備える。取得部１１は音響再生装置２１での再生時に音響改善を行うための音響処理が施されていない未処理音響信号を取得し、音響処理部１２は、未処理音響信号の少なくとも一部の時間領域に音響処理を施して、ユーザの使用する車両１５０に搭載された音響再生装置２１に提供される音響性能テスト用のテスト音響信号を作成する。従って、車両１５０に搭載された音響再生装置２１では行うことのできない音響処理をテスト音響信号作成装置１０１で施してテスト音響信号を作成し、テスト音響信号が音響再生装置２１で再生されることにより、ユーザは自身の使用する車両１５０で音響処理の効果を体験することができる。
【００３０】
また、テスト音響信号作成装置１０１の動作として上記で説明された実施の形態１に係るテスト音響信号作成方法は、音響処理が施されていない未処理音響信号を取得し、ユーザの使用車両に搭載されない装置により、未処理音響信号の少なくとも一部の時間領域に音響処理を施して、ユーザの使用車両に搭載された音響再生装置に提供される音響性能テスト用のテスト音響信号を作成する。従って、車両１５０に搭載された音響再生装置２１では行うことのできない音響処理をテスト音響信号作成装置１０１で施してテスト音響信号を作成し、テスト音響信号が音響再生装置２１で再生されることにより、ユーザは自身の使用する車両１５０で音響処理の効果を体験することができる。
【００３１】
＜Ｂ．実施の形態２＞
＜Ｂ−１．構成＞
図３は、実施の形態２に係る音響体験システム１Ａの構成を示すブロック図である。音響体験システム１Ａは、実施の形態１に係る音響体験システム１の構成において、テスト音響信号作成装置１０１に代えてテスト音響信号作成装置１０２を備えたものである。テスト音響信号作成装置１０２は、テスト音響信号作成装置１０１の構成に加えてパラメータ格納部１３を備えている。
【００３２】
＜Ｂ−２．音場補正処理＞
音響処理部１２は、パラメータ格納部１３から取得したパラメータにより、未処理音響信号に音響処理を施してテスト音響信号を作成する。音響処理部１２が実施する音響処理には、周波数制御、位相制御、時間軸制御など様々な音響処理が想定されるが、本実施の形態では、音場補正処理を行う。
【００３３】
以下、音場補正処理について説明する。ユーザは家庭用音響再生装置２４を用いて音楽などを聞く場合、図４に示すように、各スピーカ２３ＦＲ，２３ＦＬ，２３ＲＲ，２３ＲＬをリスニングポイントＰに対して対称な位置に配置することが可能である。前方右側のスピーカ２３ＦＲとリスニングポイントＰとの距離ＬＦＲは、前方左側のスピーカ２３ＦＬとリスニングポイントＰとの距離ＬＦＬと等しく、後方右側のスピーカ２３ＲＲとリスニングポイントＰとの距離ＬＲＲは、後方左側のスピーカ２３ＲＬとリスニングポイントＰとの距離ＬＲＬと等しい。従って、ユーザは前方右側のスピーカ２３ＦＲおよび前方左側のスピーカ２３ＦＬから出力された音を同時に聞き、後方右側のスピーカ２３ＲＲおよび後方左側のスピーカ２３ＲＬから出力された音を同時に聞くことができる。
【００３４】
これに対して、ユーザが音響再生装置２１に音を再生させる場合、車両１５０の車室内の壁面等に取り付けられたスピーカ２２ＦＲ，２２ＦＬ，２２ＲＲ，２２ＲＬから出力された音を聞く。このとき、ユーザは車両１５０のいずれかの座席に着座しており、座席は車室内の右側または左側に偏っているため、リスニングポイントＰはスピーカ２２ＦＲ，２２ＦＬ，２２ＲＲ，２２ＲＬの配置に対して中央ではなく、右側または左側に偏ることになる。図５は、ユーザが右ハンドルの車両の運転席に着座し、リスニングポイントＰがスピーカ２２ＦＲ，２２ＦＬ，２２ＲＲ，２２ＲＬの配置に対して右側に偏った状態を示している。このとき、前方右側のスピーカ２２ＦＲとリスニングポイントＰとの距離ＬＦＲは、前方左側のスピーカ２２ＦＬとリスニングポイントＰとの距離ＬＦＬより長く、後方右側のスピーカ２２ＲＲとリスニングポイントＰとの距離ＬＲＲは、後方左側のスピーカ２２ＲＬとリスニングポイントＰとの距離ＬＲＬより長くなる。上記のようなリスニング環境の非対称性によって、リスニングポイントＰの耳には各スピーカ２２ＦＲ，２２ＦＬ，２２ＲＲ，２２ＲＬから出力された音がそれぞれ異なるタイミングで届いてしまう。
【００３５】
図６は、各スピーカ２２ＦＲ，２２ＦＬ，２２ＲＲ，２２ＲＬから音が出力されるタイミングを点線波形で示し、それらの音がリスニングポイントＰに届くタイミングを実線波形で示している。図６（ａ）は前方左側スピーカ２２ＦＬ、図６（ｂ）は前方右側スピーカ２２ＦＲ、図６（ｃ）は後方左側スピーカ２２ＲＬ、図６（ｄ）は後方右側スピーカ２２ＲＲの場合をそれぞれ示している。音の速さをＣａとすると、前方左側スピーカ２２ＦＬの出力音がリスニングポイントＰに届くまでの時間はＬＦＬ／Ｃａである。以下同様に、前方右側スピーカ２２ＦＲについてはＬＦＲ／Ｃａ、後方左側スピーカ２２ＲＬについてはＬＲＬ／Ｃａ、後方右側スピーカ２２ＲＲについてはＬＲＲ／Ｃａである。
【００３６】
各スピーカ２２ＦＲ，２２ＦＬ，２２ＲＲ，２２ＲＬから出力される音響信号に、上記の時間差を解消するための遅延処理を施すことにより、各スピーカ２２ＦＲ，２２ＦＬ，２２ＲＲ，２２ＲＬの出力音がリスニングポイントＰに同時に届くようにすることができる。本明細書では、以上の処理を「音場補正処理」と呼ぶ。
【００３７】
図７は、音場補正処理機能を有する車載の音響再生装置２６を示している。音響再生装置２６は、音場補正処理を行うための構成として、未処理音響信号の左チャンネル（Ｌ−Ｃｈ）に遅延処理を行う遅延回路３１，３２と、右チャンネル（Ｒ−Ｃｈ）に遅延処理を行う遅延回路３３，３４とを備えている。遅延回路３１，３２，３３，３４で遅延処理を施された音響信号はそれぞれスピーカ２２ＦＬ，２２ＲＬ，２２ＦＲ，２２ＲＲへ出力される。
【００３８】
図８は、リスニングポイントＰまでの時間が最も長いスピーカ２２ＲＬに合せて、他のスピーカ２２ＦＬ，２２ＲＲ，２２ＦＲから出力される音響信号に遅延処理が行う様子を示している。ここで、遅延回路３１は時間ｄＦＬ分の遅延処理を行い、遅延回路３３は時間ｄＦＲ分の遅延処理を行い、遅延回路３４は時間ｄＲＲ分の遅延処理を行う。以上の処理により、車両１５０内のリスニング環境の非対称性に起因する音場のずれを補正することができる。
【００３９】
しかし、ユーザの車両１５０に搭載された音響再生装置２１が上記のような音場補正処理機能を有していない場合、ユーザは、車両１５０で音場補正処理を体験することができない。ユーザが音場補正処理を体験するためには、音場補正機能を有する音響再生装置２６を実際に購入するか、音響再生装置２６を搭載した車両の展示店舗に赴いて試乗する必要があり、手間がかかる。
【００４０】
そこで、音響体験システム１Ａでは、テスト音響信号作成装置１０２で音場補正処理を行い、音場補正処理が施されたテスト音響信号を車両１５０に搭載された音響再生装置２１で再生することで、ユーザが手軽に音場補正機能の効果を体験することができるようにする。
【００４１】
図９は、音場補正処理を行う音響処理部１２の具体的な構成を示している。音響処理部１２は、未処理音響信号の右チャンネル（Ｒ−Ｃｈ）に時間ｄＦＰＰ分の遅延処理を行う遅延回路３５を有している。時間ｄＦＰＰは、音場補正処理を行うためのパラメータであり、パラメータ格納部１３に格納されている。時間ｄＦＰＰは、音場補正処理を行わない場合に生じる前方左側スピーカ２２ＦＬと前方右側スピーカ２２ＦＲの時間差に相当する。未処理音響信号は、音響処理部１２において右チャンネルのみが時間ｄＦＰＰだけ遅延され、テスト音響信号となる。
【００４２】
テスト音響信号が音響再生装置２１により再生されると、図１０に示すように、前方右側スピーカ２２ＦＲと後方右側スピーカ２２ＲＲからの出力音がｄＦＰＰだけ遅延される。これにより、前方右側スピーカ２２ＦＲと前方左側スピーカ２２ＦＬの時間差が解消する。但し、後方右側スピーカ２２ＲＲと後方左側スピーカ２２ＲＬの時間差、または前方のスピーカと後方のスピーカとの時間差は解消されていない。これは、音響再生装置２１が２チャンネルの入力にしか対応していないためである。しかし、運転席に着座する搭乗者には前方右側スピーカ２２ＦＲと前方左側スピーカ２２ＦＬが優位であるため、後方右側スピーカ２２ＲＲと後方左側スピーカ２２ＲＬによる時間差は大きな弊害にはならない。また、前方右側スピーカ２２ＦＲと前方左側スピーカ２２ＦＬのみを使って再生することによっても問題を解決できる。なお、音響再生装置２１が４チャンネルの入力に対応する場合、音響処理部１２は各スピーカ２２ＦＬ，２２ＲＬ，２２ＦＲ，２２ＲＲに対して個別に遅延処理を行っても良い。この場合、全てのスピーカ２２ＦＬ，２２ＲＬ，２２ＦＲ，２２ＲＲの時間差が解消される。このように、音響処理部１２では、音響再生装置２１の入力チャンネル数など、その性能に応じたパラメータで音場補正処理を行っても良い。
【００４３】
上記の説明では、遅延回路３５が未処理音響信号の右チャンネルに時間ｄＦＰＰの遅延処理を行うことについて述べた。より具体的には、遅延回路３５は、未処理音響信号の右チャンネルに定常的に遅延処理を行うのではなく、図１１に示すように時間ｄＦＰＰの遅延処理の実施と不実施とを交互に繰り返す。ここで、遅延回路３５が遅延処理を実施する時間領域を時間領域Ａ１、遅延処理を実施しない時間領域を時間領域Ａ２とする。すなわち、遅延回路３５は、未処理音響信号の一部の時間領域Ａ１にのみ遅延処理を施す。
【００４４】
テスト音響信号は、時間領域Ａ１では、前方右側スピーカ２２ＦＲと前方左側スピーカ２２ＦＬの時間差が解消され、時間領域Ａ２では、当該時間差が解消されない。言い換えれば、テスト音響信号は、第１時間領域である時間領域Ａ１においては、未処理音響信号に音場補正処理が施された音響信号となり、第２時間領域である時間領域Ａ２では、未処理音響信号そのものとなる。従って、音響再生装置２１でテスト音響信号を再生したとき、ユーザは音場補正処理を施した音響信号と音場補正処理を施していない音響信号とを交互に聞くため、音場補正処理の有無を聞き比べることにより音場補正処理の効果を分かりやすく体験することができる。
【００４５】
なお、ここでは音場補正効果を分かりやすくユーザに体験させるため、遅延回路３５が遅延処理の実施と不実施とを交互に繰り返すことについて述べた。このとき、テスト音響信号の時間軸において第１時間領域と第２時間領域とが交互に繰り返し存在する。しかし、第１時間領域と第２時間領域は、必ずしも交互に繰り返し存在しなくても良く、少なくとも１つずつあれば、ユーザは音場補正処理の有無を聞き比べることが可能である。
【００４６】
さらに、遅延回路３５は未処理音響信号の右チャンネルに定常的に遅延処理を行っても良い。このとき、テスト音響信号は第１時間領域のみで構成される。ユーザは音場補正処理が施された音のみを聞くため、音場補正処理の有無を聞き比べることはできないが、音場補正処理の効果を体験することは可能である。
【００４７】
上記では、時間ｄＦＰＰは、音場補正処理を行わない場合に生じる前方左側スピーカ２２ＦＬと前方右側スピーカ２２ＦＲの時間差に相当すると説明した。こうした音場補正処理を行うためのパラメータは、例えばワゴン用、セダン用、軽自動車用など、車両の大まかなタイプ別にパラメータ格納部１３に格納されている。テスト音響信号作成装置１０２は、パラメータ毎にテスト音響信号を作成する。提供装置２０は、例えばパラメータ別の複数のテスト音響信号を、異なる時間に放送するか、あるいは異なる周波数で放送することにより、音響再生装置２１に提供する。あるいは、提供装置２０は、パラメータ別の複数のテスト音響信号を、同一の記録媒体に異なるトラックとして記録するか、異なる記録媒体に記録する。これにより、ユーザは車両１５０のタイプに応じたテスト音響信号を音響再生装置２１に再生させることができる。また、提供装置２０が通信ネットワークによりテスト音響信号を提供する場合には、例えばユーザが手持ちの通信端末から車両１５０のタイプに応じたテスト音響信号を選択して取得することが可能である。
【００４８】
また、テスト音響信号作成装置１０２がユーザの指示を受けてテスト音響信号の作成を行う場合には、ユーザから車両１５０のタイプを取得し、取得したタイプに応じたパラメータで音場補正処理を行うことにより、必要なテスト音響信号のみを作成しても良い。
【００４９】
＜Ｃ．実施の形態３＞
＜Ｃ−１．構成＞
図１２は、実施の形態３に係る音響体験システム１Ｂの構成を示すブロック図である。音響体験システム１Ｂは、テスト音響信号作成装置１０３、提供装置２０、音響再生装置２１、およびスピーカ２２を備えている。テスト音響信号作成装置１０３以外の音響体験システム１Ｂの構成は、実施の形態２の音響体験システム１Ａと同様である。テスト音響信号作成装置１０３は、実施の形態２のテスト音響信号作成装置１０２の音響処理部１２に代えて音響処理部１２Ｂを備えたものである。
【００５０】
＜Ｃ−２．音場補正処理＞
図１３は、音響処理部１２Ｂの構成を示している。音響処理部１２Ｂは、遅延回路３６と切替スイッチ３７とを備える。未処理音響信号の左チャンネル（Ｌ−Ｃｈ）は、遅延処理を施されることなく音響処理部１２Ｂを通過する。未処理音響信号の右チャンネル（Ｒ−Ｃｈ）は、２つに分岐し、その一方が遅延回路３６で遅延処理を施される。
【００５１】
図１４に示すように、遅延回路３６は時間ｄＦＰＰ分の遅延処理を定常的に行う。ここで、時間ｄＦＰＰは音場補正処理を行うためのパラメータであり、パラメータ格納部１３に格納されている。以下、遅延回路３６で定常的な遅延処理を施された音響信号を、定常処理音響信号と呼ぶ。
【００５２】
切替スイッチ３７は、ＯＮ状態で定常処理音響信号を選択し、ＯＦＦ状態で遅延回路３６を通過しない未処理音響信号を選択する。切替スイッチ３７で選択された音響信号がテスト音響信号の右チャンネルとして音響処理部１２Ｂから出力される。すなわち、音響処理部１２Ｂは、未処理音響信号に定常的に音響処理を施して定常処理音響信号を作成し、定常処理音響信号と未処理音響信号を交互に選択して出力することによりテスト音響信号を作成する。
【００５３】
図１５に示すように、切替スイッチ３７はＯＮ状態とＯＦＦ状態とを交互に繰り返す。ここで、切替スイッチ３７がＯＮ状態となる時間領域を時間領域Ａ１、ＯＦＦ状態となる時間領域を時間領域Ａ２とする。テスト音響信号は、時間領域Ａ１において、前方右側スピーカ２２ＦＲと前方左側スピーカ２２ＦＬの時間差が解消され、時間領域Ａ２において当該時間差が解消されない。すなわち、テスト音響信号は、第１時間領域である時間領域Ａ１において、未処理音響信号に音場補正処理が施された音響信号となり、第２時間領域である時間領域Ａ２において、未処理音響信号そのものとなる。従って、音響再生装置２１でテスト音響信号を再生したとき、ユーザは音場補正処理を施した音響信号と音場補正処理を施していない音響信号とを交互に聞くため、音場補正処理の有無を聞き比べることにより音場補正処理の効果を分かりやすく体験することができる。
【００５４】
なお、ここでは音場補正効果を分かりやすくユーザに体験させるため、切替スイッチ３７のＯＮ状態とＯＦＦ状態とを交互に繰り返すことについて述べた。このとき、テスト音響信号の時間軸において、第１時間領域と第２時間領域とが交互に繰り返し存在する。しかし、第１時間領域と第２時間領域とは、必ずしも交互に繰り返し存在しなくても良く、少なくとも１つずつあれば、ユーザは音場補正処理の有無を聞き比べることが可能である。
【００５５】
＜Ｄ．実施の形態４＞
＜Ｄ−１．構成＞
図１６は、実施の形態４に係る音響体験システム１Ｃの構成を示すブロック図である。音響体験システム１Ｃは、テスト音響信号作成装置１０４、提供装置２０、音響再生装置２１、およびスピーカ２２を備えている。テスト音響信号作成装置１０４以外の音響体験システム１Ｃの構成は、実施の形態２に係る音響体験システム１Ａと同様である。
【００５６】
テスト音響信号作成装置１０４は、実施の形態２のテスト音響信号作成装置１０２の音響処理部１２に代えて音響処理部１２Ｃを備えている。テスト音響信号作成装置１０４は、音響処理部１２Ｃで音場補正処理が施されたテスト音響信号と、未処理音響信号とを、提供装置２０に出力する。
【００５７】
提供装置２０は、テスト音響信号および未処理音響信号を、音響再生装置２１において任意のタイミングで切り替えて再生することが可能な態様で、音響再生装置２１に提供する。
【００５８】
図１７は、音響処理部１２Ｃの構成を示している。未処理音響信号の左チャンネル（Ｌ−Ｃｈ）と右チャンネル（Ｒ−Ｃｈ）は、それぞれ２つに分岐し、分岐の一方は音響処理部１２Ｃを経ずに提供装置２０に入力される。分岐の他方は、音響処理部１２Ｃで音場補正処理が施され、テスト音響信号となって提供装置２０に入力される。
【００５９】
音響処理部１２Ｃは、未処理音響信号の左チャンネル（Ｌ−Ｃｈ）に対して遅延処理を行わず、これをそのままテスト音響信号の右チャンネルとして出力する。一方、音響処理部１２Ｃは、未処理音響信号の右チャンネル（Ｒ−Ｃｈ）に対して遅延回路３６で遅延処理を行い、テスト音響信号の左チャンネルとして出力する。遅延回路３６の動作は実施の形態３と同様であり、図１４に示したように定常的に遅延処理を行う。しかし、音響処理部１２Ｃは実施の形態３の音響処理部１２Ｂとは異なり切替スイッチ３７を備えていない。従って、音響処理部１２Ｂからは定常的に遅延処理が施されたテスト音響信号が出力される。
【００６０】
提供装置２０は、未処理音響信号を主音声、テスト音響信号を副音声として、これらを別チャンネル、または同一チャンネルの多重信号として放送する。この場合、音響再生装置２１では主音声と副音声とを切替えて再生することにより、ユーザは音場補正処理有りの音と無しの音とを聞き比べることができ、音場補正処理の効果を分かりやすく体験することができる。
【００６１】
すなわち、本実施の形態において、音響処理部１２Ｃは、未処理音響信号に定常的に音響処理を施してテスト音響信号を作成する。そして、提供装置２０は、未処理音響信号とテスト音響信号を、音響再生装置２１においてテスト音響信号と未処理音響信号を任意のタイミングで切り替えて再生することが可能な態様で、音響再生装置２１に提供する。
【００６２】
＜Ｄ−２．変形例＞
上記では、提供装置２０がテスト音響信号と未処理音響信号とを多重放送することについて述べたが、これはテスト音響信号および未処理音響信号を、音響再生装置２１において任意のタイミングで切り替えて再生することが可能な態様で提供することの一例である。
【００６３】
他の方法として、例えば、テスト音響信号と未処理音響信号とを、コンパクトディスク、ＳＤまたはＵＳＢメモリなどの記録媒体に別トラックとして記録しても良い。図１８は、コンパクトディスク６０のトラックＡに未処理音響信号が記録され、トラックＢにテスト音響信号が記録される場合を示している。ユーザは当該記録媒体を音響再生装置２１に接続し、トラックＡ，Ｂを切替えて再生することにより、テスト音響信号と未処理音響信号、すなわち音場補正処理有りの音と無しの音とを聞き比べることができる。
【００６４】
上記では、未処理音響信号とテスト音響信号が記録媒体に別トラックとして記録されることを説明したが、同一トラックに多重信号として記録されても良い。
【００６５】
その他、テスト音響信号と未処理音響信号とをそれぞれ異なるコンパクトディスクに記録するなど、別パッケージの記録媒体に両信号を記録して、それらの記録媒体が音響再生装置２１に提供されても良い。
【００６６】
＜Ｅ．ハードウェア構成＞
上述したテスト音響信号作成装置１０１，１０２，１０３，１０４における、取得部１１、音響処理部１２、パラメータ格納部１３は、例えば図１９に示す処理回路５１により実現される。すなわち、処理回路５１は、取得部１１、音響処理部１２、パラメータ格納部１３を備える。処理回路５１には、専用のハードウェアが適用されても良いし、メモリに格納されるプログラムを実行するプロセッサが適用されても良い。プロセッサは、例えば中央処理装置、処理装置、演算装置、マイクロプロセッサ、マイクロコンピュータ、ＤＳＰ（Digital Signal Processor）等である。
【００６７】
処理回路５１が専用のハードウェアである場合、処理回路５１は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせたものが該当する。音響処理部１２等の各部の機能それぞれは、複数の処理回路５１で実現されてもよいし、各部の機能をまとめて一つの処理回路で実現されてもよい。
【００６８】
処理回路５１がプロセッサである場合、音響処理部１２等の機能は、ソフトウェア等（ソフトウェア、ファームウェアまたはソフトウェアとファームウェア）との組み合わせにより実現される。ソフトウェア等はプログラムとして記述され、メモリに格納される。図２０に示すように、処理回路５１に適用されるプロセッサ５２は、メモリ５３に記憶されたプログラムを読み出して実行することにより、各部の機能を実現する。すなわち、テスト音響信号作成装置１０１，１０２，１０３，１０４は、処理回路５１により実行されるときに、音響処理が施されていない未処理音響信号を取得するステップと、ユーザの使用する車両１５０に搭載されない装置により、未処理音響信号の少なくとも一部の時間領域Ａ１に音響処理を施して、車両１５０に搭載された音響再生装置２１に提供される音響性能テスト用のテスト音響信号を作成するステップと、が結果的に実行されることになるプログラムを格納するためのメモリ５３を備える。換言すれば、このプログラムは、音響処理部１２等の手順や方法をコンピュータに実行させるものであるともいえる。ここで、メモリ５３には、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disk）及びそのドライブ装置等、または、今後使用されるあらゆる記録媒体であってもよい。
【００６９】
以上、音響処理部１２等の各機能が、ハードウェア及びソフトウェア等のいずれか一方で実現される構成について説明した。しかしこれに限ったものではなく、音響処理部１２等の一部を専用のハードウェアで実現し、別の一部をソフトウェア等で実現する構成であってもよい。例えば、音響処理部１２については専用のハードウェアとしての処理回路でその機能を実現し、それ以外についてはプロセッサ５２としての処理回路５１がメモリ５３に格納されたプログラムを読み出して実行することによってその機能を実現することが可能である。
【００７０】
以上のように、処理回路は、ハードウェア、ソフトウェア等、またはこれらの組み合わせによって、上述の各機能を実現することができる。なお、パラメータ格納部１３は、メモリ５３から構成されるが、それらは単一のメモリ５３から構成されてもよいし、それぞれが個別のメモリから構成されてもよい。
【００７１】
また、上記ではテスト音響信号作成装置１０１，１０２，１０３，１０４を車両１５０外の装置として説明したが、１つの装置として構成される他、ＰＮＤ（Portable Navigation Device）、通信端末（例えば携帯電話、スマートフォン、およびタブレットなどの携帯端末）、およびこれらにインストールされるアプリケーションの機能、並びにサーバなどを適宜に組み合わせて構築されるシステムにも適用することができる。この場合、以上で説明したテスト音響信号作成装置１０１，１０２，１０３，１０の各機能または各構成要素は、システムを構築する各機器に分散して配置されてもよいし、いずれかの機器に集中して配置されてもよい。その一例としてテスト音響信号作成装置１０２の構成について言えば、図２１に示すようにパラメータ格納部１３がサーバで構成され、取得部１１と音響処理部１２が携帯端末で構成されても良い。この場合、携帯端末には取得部１１と音響処理部１２として動作するためのアプリケーションプログラムがインストールされている。このアプリケーションプログラムは、コンピュータを、音響処理が施されていない未処理音響信号を取得する取得部と、未処理音響信号の少なくとも一部の時間領域に音響処理を施して、ユーザの使用車両に搭載された音響再生装置に提供される音響性能テスト用のテスト音響信号を作成する音響処理部と、して機能させるためのテスト音響信号作成プログラムである。このように、携帯端末がテスト音響信号作成装置の一部として機能する場合を考慮すると、テスト音響信号作成装置は必ずしも車両１５０の外にあるとは限らない。
【００７２】
なお、本発明は、その発明の範囲内において、各実施の形態および各変形例を自由に組み合わせたり、各実施の形態および各変形例を適宜、変形または省略したりすることが可能である。
【００７３】
本発明は詳細に説明されたが、上記した説明は全ての態様において例示であり、本発明がそれに限定されるものではない。例示されていない無数の変形例が、本発明の範囲から外れることなく想定され得る。
【符号の説明】
【００７４】
１，１Ａ，１Ｂ，１Ｃ  音響体験システム、１１  取得部、１２，１２Ｂ，１２Ｃ  音響処理部、１３  パラメータ格納部、２０  提供装置、２１，２６  音響再生装置、２２，２３  スピーカ、２４  家庭用音響再生装置、３１，３２，３３，３４，３５，３６  遅延回路、３７  切替スイッチ、５１  処理回路、５２  プロセッサ、５３  メモリ、６０  コンパクトディスク、１０１，１０２，１０３，１０４  テスト音響信号作成装置、１５０  車両。
【図１】
2018157478.tif 000003
【図２】
2018157478.tif 000004
【図３】
2018157478.tif 000005
【図４】
2018157478.tif 000006
【図５】
2018157478.tif 000007
【図６】
2018157478.tif 000008
【図７】
2018157478.tif 000009
【図８】
2018157478.tif 000010
【図９】
2018157478.tif 000011
【図１０】
2018157478.tif 000012
【図１１】
2018157478.tif 000013
【図１２】
2018157478.tif 000014
【図１３】
2018157478.tif 000015
【図１４】
2018157478.tif 000016
【図１５】
2018157478.tif 000017
【図１６】
2018157478.tif 000018
【図１７】
2018157478.tif 000019
【図１８】
2018157478.tif 000020
【図１９】
2018157478.tif 000021
【図２０】
2018157478.tif 000022
【図２１】
2018157478.tif 000023